(57)【要約】【課題】モニタ表示部をセルフタイマ撮影時にも有効に活用して、カメラに任せる要素が多いために通常より撮影の失敗が多いと思われるセルフタイマ撮影を確実に実行する。【解決手段】被写体像を撮影する撮影レンズ12、ＣＣＤ22を含む撮像系と、装置本体に対して表示面の角度を回動可能な表示部19と、セルフタイマ機能による撮影を指示するキー入力部34と、この指示によるセルフタイマ撮影時に撮影レンズ12での撮影画角に合わせて表示部19での表示視野角をＲＯＭ31ａに記憶しているテーブルに基づいた駆動電圧に従って制御する制御部31とを備える。【選択図】      図２
2008016886.tif 000002
【特許請求の範囲】
【請求項１】
被写体像を撮影する、撮影画角が変動可能な撮像手段と、
表示面を少なくとも上記撮影手段の撮影方向に向けることが可能な表示手段と、
セルフタイマ機能による撮影を指示する指示手段と、
この指示手段によるセルフタイマ撮影時に、上記撮影手段での撮影画角に合わせて上記表示手段での表示視野角を制御する表示制御手段と
を具備したことを特徴とする撮像装置。
【請求項２】
上記撮像手段は、撮影画角を無段階で連続的に可変するズーム機能を有し、
上記表示制御手段は、上記撮影手段のズーム機能で可変される撮影画角に追従して上記表示手段での表示視野角を随時制御する
ことを特徴とする請求項１記載の撮像装置。
【請求項３】
予め特定の画像情報を記憶した記憶手段をさらに具備し、
上記表示制御手段は、上記記憶手段で記憶した特定の画像情報を用いて上記表示手段で表示させる
ことを特徴とする請求項１記載の撮像手段。
【請求項４】
上記記憶手段は、特定の画像情報を複数記憶し、
上記表示制御手段は、上記撮影手段のズーム機能で可変される撮影画角に対応した特定の画像情報を上記記憶手段から選択的に読出して上記表示手段で表示させる
ことを特徴とする請求項３記載の撮像装置。
【請求項５】
セルフタイマ撮影時の撮影モードを複数の撮影モードの中から選択する選択手段と、
予め特定の画像情報を複数記憶した記憶手段とをさらに具備し、
上記表示制御手段は、上記選択手段で選択した撮影モードに対応した特定の画像情報を上記記憶手段から選択的に読出して上記表示手段で表示させる
ことを特徴とする請求項１記載の撮像装置。
【請求項６】
被写体像の光量を検知する光量検知手段と、
予め特定の画像情報を複数記憶した記憶手段とをさらに具備し、
上記表示制御手段は、上記光量検知手段で検知した光量に対応した特定の画像情報を上記記憶手段から選択的に読出して上記表示手段で表示させる
ことを特徴とする請求項１記載の撮像装置。
【請求項７】
被写体像を撮影する、撮影画角が変動可能な撮像部及び表示面を少なくとも撮影部の撮影方向に向けることが可能な表示部を備えた撮像装置の画像表示方法であって、
セルフタイマ機能による撮影を指示する指示工程と、
この指示工程に基づくセルフタイマ撮影時に、上記撮影部での撮影画角に合わせて上記表示部での表示視野角を制御する表示制御工程と
を有したことを特徴とする撮像装置の画像表示方法。
【請求項８】
被写体像を撮影する、撮影画角が変動可能な撮像部及び表示面を少なくとも撮影部の撮影方向に向けることが可能な表示部を備えた撮像装置が内蔵するコンピュータが実行するプログラムであって、
セルフタイマ機能による撮影を指示する指示ステップと、
この指示ステップに基づくセルフタイマ撮影時に、上記撮影部での撮影画角に合わせて上記表示部での表示視野角を制御する表示制御ステップと
をコンピュータに実行させることを特徴とするプログラム。
【発明の詳細な説明】
【技術分野】
【０００１】
本発明は、セルフタイマ機能を有するデジタルカメラ等に好適な撮像装置、撮像装置の画像表示方法及びプログラムに関する。
【背景技術】
【０００２】
従来より、カメラ本体に対して液晶パネルで構成されたモニタ表示部の取付け角度を回動させることで、通常ではモニタ内容を確認することが困難な状態からの撮影を実行することができるデジタルカメラが各種製品化されている。
【０００３】
また、この種のデジタルカメラの一機能として、横置き大画面液晶モニタ面を有する直方体形状の撮像装置で、動きの早い被写体の場合にモニタ部の大画面では追跡しにくく、被写体の動きに追従できないことに対し、装置本体の姿勢、撮影者の設定、回動部の角度検出により操作制御部が撮像プロセス部、画面補正部に位置信号を出力し、それぞれ位置信号に応じてあたかも映像が回転あるいは左右、上下反転したかのように入力した電子映像信号を波形成形することで、電子撮像装置がその撮影しやすさに応じた縦姿勢、横姿勢でも対応することができるようにした技術が考えられている。（例えば、特許文献１）
【特許文献１】特開２０００−１６５７１８号公報
【発明の開示】
【発明が解決しようとする課題】
【０００４】
上述した特許文献の技術も含めて、通常の撮影時にモニタ表示部を有効に活用する技術は多々考えられているものの、セルフタイマ機能のように、撮影者自らが被写体となるためにモニタ表示部を見る者がいなくなる状態では、当然ながらモニタ表示部の取付け角度が回動することのメリットは生じない。
【０００５】
本発明は上記のような実情に鑑みてなされたもので、その目的とするところは、本来はカメラ本体の背面側に位置するモニタ表示部をセルフタイマ撮影時にも有効に活用して、カメラに任せる要素が多いために通常より撮影の失敗が多いと思われるセルフタイマ撮影を確実に実行することが可能な撮像装置、撮像装置の画像表示方法及びプログラムを提供することにある。
【課題を解決するための手段】
【０００６】
請求項１記載の発明は、被写体像を撮影する、撮影画角が変動可能な撮像手段と、表示面を少なくとも上記撮影手段の撮影方向に向けることが可能な表示手段と、セルフタイマ機能による撮影を指示する指示手段と、この指示手段によるセルフタイマ撮影時に、上記撮影手段での撮影画角に合わせて上記表示手段での表示視野角を制御する表示制御手段とを具備したことを特徴とする。
【０００７】
請求項２記載の発明は、上記請求項１記載の発明において、上記撮像手段は、撮影画角を無段階で連続的に可変するズーム機能を有し、上記表示制御手段は、上記撮影手段のズーム機能で可変される撮影画角に追従して上記表示手段での表示視野角を随時制御することを特徴とする。
【０００８】
請求項３記載の発明は、上記請求項１記載の発明において、予め特定の画像情報を記憶した記憶手段をさらに具備し、上記表示制御手段は、上記記憶手段で記憶した特定の画像情報を用いて上記表示手段で表示させることを特徴とする。
【０００９】
請求項４記載の発明は、上記請求項３記載の発明において、上記記憶手段は、特定の画像情報を複数記憶し、上記表示制御手段は、上記撮影手段のズーム機能で可変される撮影画角に対応した特定の画像情報を上記記憶手段から選択的に読出して上記表示手段で表示させることを特徴とする。
【００１０】
請求項５記載の発明は、上記請求項１記載の発明において、セルフタイマ撮影時の撮影モードを複数の撮影モードの中から選択する選択手段と、予め特定の画像情報を複数記憶した記憶手段とをさらに具備し、上記表示制御手段は、上記選択手段で選択した撮影モードに対応した特定の画像情報を上記記憶手段から選択的に読出して上記表示手段で表示させることを特徴とする。
【００１１】
請求項６記載の発明は、上記請求項１記載の発明において、被写体像の光量を検知する光量検知手段と、予め特定の画像情報を複数記憶した記憶手段とをさらに具備し、上記表示制御手段は、上記光量検知手段で検知した光量に対応した特定の画像情報を上記記憶手段から選択的に読出して上記表示手段で表示させることを特徴とする。
【００１２】
請求項７記載の発明は、被写体像を撮影する、撮影画角が変動可能な撮像部及び表示面を少なくとも撮影部の撮影方向に向けることが可能な表示部を備えた撮像装置の画像表示方法であって、セルフタイマ機能による撮影を指示する指示工程と、この指示工程に基づくセルフタイマ撮影時に、上記撮影部での撮影画角に合わせて上記表示部での表示視野角を制御する表示制御工程とを有したことを特徴とする。
【００１３】
請求項８記載の発明は、被写体像を撮影する、撮影画角が変動可能な撮像部及び表示面を少なくとも撮影部の撮影方向に向けることが可能な表示部を備えた撮像装置が内蔵するコンピュータが実行するプログラムであって、セルフタイマ機能による撮影を指示する指示ステップと、この指示ステップに基づくセルフタイマ撮影時に、上記撮影部での撮影画角に合わせて上記表示部での表示視野角を制御する表示制御ステップとをコンピュータに実行させることを特徴とする。
【発明の効果】
【００１４】
請求項１記載の発明によれば、可動式のモニタ表示部をセルフタイマ撮影時にも有効に活用し、モニタ表示部を撮影部の被写体像側に向けてセルフタイマ撮影を行なう場合に、撮影画角に合わせてモニタ表示部の表示視野角を制御することで、被写体側からモニタ表示部での表示が見えれば撮影範囲に入ることがわかるため、有効な撮影範囲を把握しやすく、特に多人数でのセルフタイマ撮影を行なう場合などでも確実に被写体全員を画像フレーム内に納めた撮影を実行することができる。
【００１５】
請求項２記載の発明によれば、上記請求項１記載の発明の効果に加えて、撮影部のレンズが撮影画角を無段階で連続的に可変するズーム機能を有する場合であっても、その時点で選択している撮影画角に連動して適正な表示視野角に随時制御するため、より確実に撮影範囲を把握することができる。
【００１６】
請求項３記載の発明によれば、上記請求項１記載の発明の効果に加えて、その時点で撮影しているスルー画像に代えて、例えばコントラストを考慮した単純な幾何学模様などの特定画像を表示させることで、カメラから離れた位置からでも容易に画像の表示内容を把握することができる。
【００１７】
請求項４記載の発明によれば、上記請求項３記載の発明の効果に加えて、撮影画角に応じて複数の特定画像の中から１つを選択して表示するため、常に撮影画角と被写体との距離等に適した見易い表示内容として、画像の表示内容を的確に把握することができる。
【００１８】
請求項５記載の発明によれば、上記請求項１記載の発明の効果に加えて、例えば夜景モードや屋外モードなど、その撮影環境下に適した見易い特定画像をモニタ表示部に表示させることで、被写体側での表示内容の視認を確実にするだけでなく、撮影モードの設定内容を確認することができる。
【００１９】
請求項６記載の発明によれば、上記請求項１記載の発明の効果に加えて、その時点で撮影している明るさに応じて見易い特定画像をモニタ表示部に表示させることで、被写体側での表示内容の視認を確実にする。
【００２０】
請求項７記載の発明によれば、可動式のモニタ表示部をセルフタイマ撮影時にも有効に活用し、モニタ表示部を撮影部の被写体像側に向けてセルフタイマ撮影を行なう場合に、撮影画角に合わせてモニタ表示部の表示視野角を制御させることで、被写体側からモニタ表示部での表示が見えれば撮影範囲に入ることがわかるため、有効な撮影範囲を把握しやすく、特に多人数でのセルフタイマ撮影を行なう場合などでも確実に被写体全員を画像フレーム内に納めた撮影を実行することができる。
【００２１】
請求項８記載の発明によれば、可動式のモニタ表示部をセルフタイマ撮影時にも有効に活用し、モニタ表示部を撮影部の被写体像側に向けてセルフタイマ撮影を行なう場合に、撮影画角に合わせてモニタ表示部の表示視野角を制御させることで、被写体側からモニタ表示部での表示が見えれば撮影範囲に入ることがわかるため、有効な撮影範囲を把握しやすく、特に多人数でのセルフタイマ撮影を行なう場合などでも確実に被写体全員を画像フレーム内に納めた撮影を実行することができる。
【発明を実施するための最良の形態】
【００２２】
（第１の実施の形態）  
以下本発明をコンパクトタイプのデジタルカメラに適用した場合の第１の実施の形態について図面を参照して説明する。
【００２３】
図１は、本実施の形態に係るデジタルカメラ１０をその斜め前方から見た外観構成を示すものである。本デジタルカメラ１０は、略矩形平板状の本体ボディ１１の前面に、撮影レンズ１２、フラッシュ発光部１３、光量検知部１４、マイクロホン１５、及びグリップ部１６を配設する。
【００２４】
撮影レンズ１２は、ＡＦ（オートフォーカス）機能及びズーム機能を有するもので、電源オフ時及び再生モード時には本体ボディ１１内に沈胴する。
【００２５】
フラッシュ発光部１３は、強制発光モード時、自動発光モード下での低輝度時、デイライトシンクロモード時等に必要に応じて撮影タイミングに同期して閃光を発する予備光源である。
【００２６】
光量検知部１４は、例えばフォトトランジスタ等の受光素子で構成され、被写体像方向の光量（輝度）を検知する。
【００２７】
マイクロホン１５は、音声付の静止画／動画の撮影モード時、及び音声メモモード時に本体ボディ１１前方の音声を集音する。
【００２８】
グリップ部１６は、このデジタルカメラ１０のユーザが本体ボディ１１の右端側（図では左端側）を右手で把持した場合に該右手の中指、薬指、及び小指でしっかりと本体ボディ１１をグリップできるように設けられた帯状の突起である。
【００２９】
また、本体ボディ１１の上面には、電源キー１７及びシャッタキー１８を配設する。
【００３０】
電源キー１７は、このデジタルカメラ１０の電源のオン／オフを指示するキーである。シャッタキー１８は、静止画撮影モード時に撮影タイミングを、動画撮影モード時に撮影の開始と終了のタイミングを指示する。
【００３１】
さらに、本体ボディ１１の背面、左端側にはバックライト付のカラー液晶パネルで構成される表示部１９を設ける。この表示部１９は、基部の２軸ヒンジ機構２０を介して本体ボディ１１に接続される。
【００３２】
この図１では、図中の第１の軸Ａ１を中心として通常の背面側を向いた状態から矢印Ｒ１で示すように水平面に沿って１８０°回動させた、撮影レンズ１２と同じく本体ボディ１１の前方を向いた状態を例示するもので、さらに上記第１の軸Ａ１と直交する第２の軸Ａ２を中心として矢印Ｒ２に示すようにその表示面を回動させることができるものとする。
【００３３】
なお、以下は図示はしないが、この本体ボディ１１の背面にはさらに、撮影モードキー、再生モードキー、ズームキー、メニューキー、カーソルキー、エンターキー、フラッシュモードキー、セルフタイマキー、及びディスプレイキー等の各種操作キーとスピーカとを備える。
【００３４】
撮影モードキーは、電源オフ時の電源オンを指示する機能も持ち、撮影モード下では静止画撮影、動画撮影、シーンプログラム撮影、音声メモ等の各種記録を行なうモードを循環的に選択する。  
再生モードキーは、電源オフ時の電源オンを指示する機能も持ち、再生モード下で後述する記録媒体に記録された各種画像ファイル等の再生を指示する。  
ズームキーは、上記撮影レンズ１２内のズームレンズを移動させて焦点距離を望遠側あるいは広角側に可変する。  
メニューキーは、メニュー項目を指定するためのキーであり、カーソルキーは、上記メニューキーの操作により上記表示部１９に表示されるメニュー項目を上下左右各方向に移動して選択する。  
エンターキーは、上記メニューキーまたはカーソルキーの操作により選択されている項目の決定を指示する。  
フラッシュモードキーは、上記フラッシュ発光部１３による自動発光モード、強制発光モード、発光停止モード、赤目軽減（プリ発光）モード等を循環的に選択する。  
セルフタイマキーは、セルフタイマ機能のオン／オフと同機能オン時の連続撮影枚数の選択とを指示する。  
ディスプレイキーは、撮影モード時に表示部１９でスルー画像以外に表示する各種情報を切換選択する。  
スピーカは、再生時の音声データや各種動作時のビープ音等を拡声出力する。  
加えて、これも図示はしないが、本体ボディ１１の底面には、電源端子も兼ねたＵＳＢ端子と三脚孔とが埋設形成される。
【００３５】
次に図２により上記デジタルカメラ１０内の電子回路の概念構成を示す。  
同図中、撮影モードでのモニタリング状態においては、モータ（Ｍ）２１の駆動により上記撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ２２が配置される。
【００３６】
ＣＣＤ２２は、タイミング発生器（ＴＧ）２３、ＣＣＤドライバ２４によって走査駆動され、一定周期毎に結像した光像に対応する光電変換出力を１画面分出力する。
【００３７】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路２５において、アナログ値の信号の状態でＲＧＢの各原色成分毎にその時点に設定されているＩＳＯ感度に応じて自動ゲイン調整された後にサンプルホールドされ、Ａ／Ｄ変換器２６に送られる。
【００３８】
Ａ／Ｄ変換器２６では、アナログの画像データをデジタルデータに変換し、カラープロセス回路２７へ出力する。
【００３９】
カラープロセス回路２７は、デジタルの画像データに対して画素補間処理及びγ補正処理を含むカラープロセス処理を行ない、デジタル値の輝度信号Ｙ及び色差信号Ｃｂ，Ｃｒを生成した後にＤＭＡ（Ｄｉｒｅｃｔ  Ｍｅｍｏｒｙ  Ａｃｃｅｓｓ）コントローラ２８に出力する。
【００４０】
ＤＭＡコントローラ２８は、カラープロセス回路２７の出力する輝度信号Ｙ及び色差信号Ｃｂ，Ｃｒを、同じくカラープロセス回路２７からの複合同期信号、メモリ書込みイネーブル信号、及びクロック信号を用いて一度ＤＭＡコントローラ２８内部のバッファに書込み、ＤＲＡＭインタフェース（Ｉ／Ｆ）２９を介してバッファメモリとして使用されるＤＲＡＭ３０にＤＭＡ転送を行なう。
【００４１】
制御部３１は、ＣＰＵと、後述する撮影時の表示部１９の表示制御等を含む各種動作プログラムを固定的に記憶したＲＯＭ３１ａ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号をＤＲＡＭインタフェース２９を介してＤＲＡＭ３０より読出し、表示コントローラ３２を介してＶＲＡＭ３３に書込む。
【００４２】
表示コントローラ３２は、上記輝度及び色差信号をＶＲＡＭ３３より定期的に読出し、これらのデータを元にビデオ信号を発生して上記表示部１９に出力する。
【００４３】
表示部１９は、撮影モード時には電子ファインダとして機能し、表示コントローラ３２からのビデオ信号に基づいた表示を行なうことで、その時点で表示コントローラ３２から取込んでいる画像情報に基づく画像をリアルタイムにモニタ表示する一方で、再生モード時には選択した画像等を再生表示する。
【００４４】
このように表示部１９にその時点での画像をモニタ画像としてリアルタイムに表示している、所謂スルー画像の表示状態で、静止画撮影を行ないたいタイミングでキー入力部３４の一部を構成する上記シャッタキー１８を操作すると、トリガ信号を発生する。
【００４５】
制御部３１は、このトリガ信号に応じてその時点でＣＣＤ２２から取込んでいる１画面分の輝度及び色差信号のＤＲＡＭ３０へのＤＭＡ転送を取り止め、あらためて適正な露出条件に従ったシャッタ速度で図示しないメカニカルシャッタ及び上記ＣＣＤ２２を駆動して１画面分の輝度及び色差信号を得てＤＲＡＭ３０へ転送し、その後にこの経路を停止し、記憶保存の状態に遷移する。
【００４６】
この記憶保存の状態では、制御部３１がＤＲＡＭ３０に書込まれている１フレーム分の輝度及び色差信号をＤＲＡＭインタフェース２９を介してＹ，Ｕ，Ｖの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３５に書込み、このＪＰＥＧ回路３５でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００４７】
そして、得た符号データを１画像分のデータファイルとして該ＪＰＥＧ回路３５から読出し、このデジタルカメラ１０に着脱自在に装着される記録媒体であるメモリカード３６に書込む。
【００４８】
そして、１フレーム分の輝度及び色差信号の圧縮処理及びメモリカード３６への全圧縮データの書込み終了に伴なって、制御部３１はＣＣＤ２２からＤＲＡＭ３０への経路を再び起動する。
【００４９】
なお、制御部３１内のＲＯＭには、制御部３１が実行する動作プログラムの他に、図３に示すようなテーブルＴ１１を記憶している。このテーブルＴ１１は、上記撮影レンズ１２を構成する光学レンズ中のズームレンズの位置に対応した、表示部１９でのフル階調値表示時の駆動電圧を記憶したもので、制御部３１が上記モータ２１により撮影レンズ１２のズームレンズを移動させる一方で、その移動位置に対応した電圧値をこのテーブルＴ１１から読出して表示コントローラ３２による表示部１９の駆動電圧を制御することで、撮影レンズ１２での撮影画角と表示部１９での表示視野角とを一致させることができる。
【００５０】
また、制御部３１には、上述したキー入力部３４と、音声処理部３７、フラッシュ駆動部３８、及び受光量処理部３９が接続される。
【００５１】
キー入力部３４は、上述した如く電源キー１７、シャッタキー１８の他に、撮影モードキー、再生モードキー、ズームキー、メニューキー、カーソルキー、エンターキー、フラッシュモードキー、セルフタイマキー、及びディスプレイキー等の各種操作キーを備え、その操作に伴うキー入力信号を制御部３１へ直接送出する。
【００５２】
音声処理部３７は、ＰＣＭ音源等の音源回路を備え、音声の録音時には本体ボディ１１に配設された上記マイクロホン１５より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード３６へ送出する。
【００５３】
一方、音声処理部３７は、音声の再生時にメモリカード３６から読出されてきた音声データファイルの圧縮を解いてアナログ化し、本体ボディ１１の背面側に設けられるスピーカ部４０を駆動して、拡声放音させる。
【００５４】
フラッシュ駆動部３８は、静止画像撮影時に図示しないフラッシュ駆動用の大容量コンデンサを充電した上で、制御部３１からの制御に基づいてキセノン放電管等で構成される上記フラッシュ発光部１３を閃光駆動させる。  
受光量処理部３９は、必要に応じて上記光量検知部１４での受光量をデジタル値に変換処理して上記制御部３１へ送出する。
【００５５】
しかるに、撮影モード時に静止画像ではなく動画像の撮影が選択されている場合には、１回目のシャッタキー１８が操作された時点で、上述した静止画データを取得してＪＰＥＧ回路３５でデータ圧縮し、メモリカード３６へ記憶するという一連の動作を適宜フレームレート、例えば３０［フレーム／秒］で連続して実行するものとして開始し、該シャッタキー１８が２回目に操作されるか、または所定の制限時間、例えば３０秒が経過した時点でそれら一連の静止画データファイルを一括してモーションＪＰＥＧのデータファイル（ＡＶＩファイル）として設定し直す。
【００５６】
また、再生モード時には、制御部３１がメモリカード３６に記憶されている画像データを選択的に読出し、ＪＰＥＧ回路３５で撮影モード時にデータ圧縮した手順と全く逆の手順で圧縮されている画像データを伸長し、伸長した画像データをＤＲＡＭインタフェース２９を介しＤＲＡＭ３０に保持させた上で、このＤＲＡＭ３０の保持内容を表示コントローラ３２を介してＶＲＡＭ３３に記憶させ、このＶＲＡＭ３３より定期的に画像データを読出してビデオ信号を発生し、表示部１９で再生させる。
【００５７】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００５８】
次に上記実施の形態の動作について説明する。  
図４は、静止画像を撮影する撮影モードが設定されている状態での表示部１９の表示に関する処理内容を示すもので、その動作制御は主として制御部３１がＲＯＭ３１ａ内に記憶した動作プログラムに従って実行する。
【００５９】
その当初には、表示部１９での視野角を初期設定するべく表示部１９での駆動電圧を予め定まっている標準の電圧に設定して表示コントローラ３２で表示部１９を表示駆動させるものとする（ステップＡ０１）。
【００６０】
この状態で、スルー画像の表示のために一定周期毎にＣＣＤ２２で画像を取得してその画像データをＤＲＡＭ３０に保持させる（ステップＡ０２）。
【００６１】
このとき、上記図１で示した如く２軸ヒンジ機構２０により表示部１９が撮影レンズ１２と同一方向に向けられたセルフタイマ撮影を行なう状態であるか否かをキー入力部３４のセルフタイマキーの操作によりセルフタイマ撮影が指示されているか否かにより判断する（ステップＡ０３）。
【００６２】
そして、セルフタイマキーが操作されていると判断した場合のみ、さらに撮影レンズ１２のズーム位置が移動したか否かを判断する（ステップＡ０４）。
【００６３】
撮影レンズ１２のズーム位置が移動し、撮影画角が変わった場合には、ユーザがセルフタイマ撮影のためにズーム機能により被写体像のフレーミングを行なったものと判断し、ＶＲＡＭ３３値の上記テーブルＴ１１を参照してその時点の撮影レンズ１２中のズームレンズ位置に対応した表示部１９の駆動電圧を取得し（ステップＡ０５）、取得した駆動電圧がフル階調時の駆動電圧となるように表示コントローラ３２で表示部１９を表示駆動するべく設定する（ステップＡ０６）。
【００６４】
上記ステップＡ０５，Ａ０６の処理は、上記ステップＡ０３でセルフタイマ撮影が指示されていないと判断した場合、あるいは上記ステップＡ０４で撮影レンズ１２中のズームレンズの位置が移動していないと判断した場合には実行しない。
【００６５】
しかして、上記ステップＡ０５，Ａ０６の処理の実行の有無に拘わらず、その後にＤＲＡＭ３０に保持している画像データに基づいてＶＲＡＭ３３に表示用の画像データを作成し（ステップＡ０７）、このＶＲＡＭ３３に再生した画像データを基に表示コントローラ３２により表示部１９でスルー画像の更新表示を実行させる（ステップＡ０８）。
【００６６】
この際に表示コントローラ３２は、直前のステップＡ０５で駆動電圧を設定した場合にはその設定した駆動電圧に従って表示部１９を表示駆動するようになる。  
結果として、セルフタイマ撮影時にユーザが何らかのフレーミング動作、具体的にはズーム画角の変更を行なった場合には、上記図１に示した状態のデジタルカメラ１０で撮影レンズ１２での撮影画角と表示部１９での視野角とが常に一致するように制御される。
【００６７】
したがって、被写体側からデジタルカメラ１０を見た場合、表示部１９で表示されているスルー画像を視認することができれば、すなわち撮影レンズ１２の撮影画角に入っていることになり、被写体側から撮影範囲の確認を行なうことができる。
【００６８】
以上、ステップＡ０１〜Ａ０８の処理を繰返し実行することで、必要に応じて表示部１９での視野角を制御する動作が続行される。
【００６９】
このように、可動式の表示部１９をセルフタイマ撮影時にも有効に活用し、表示部１９を被写体像側に向けてセルフタイマ撮影を行なう場合に、撮影レンズ１２での撮影画角に合わせて表示部１９の表示視野角を制御することで、被写体側から表示部１９での表示が見えれば撮影範囲に入っていることがわかるため、有効な撮影範囲を把握しやすく、特に多人数でのセルフタイマ撮影を行なう場合などでも確実に被写体全員を画像フレーム内に納めて撮影を実行することができる。
【００７０】
特に、撮影レンズ１２が単焦点レンズではなく、焦点距離が連続的に可変設定できるズームレンズである場合にも、その時点で選択している撮影画角に連動して常に適正な表示視野角となるように表示部１９を随時制御するものとしたため、より確実に撮影範囲を把握することができる。
【００７１】
なお、上記第１の実施の形態では、セルフタイマ撮影か否かをキー入力部３４のセルフタイマキーの操作の有無により判断するものとして説明したが、例えば上記図１に示した如く表示部１９が回動機構を有するものであればその回動機構部に、またモニタ表示部を含むカメラ本体に対して、撮影レンズを含む筐体の一部が回動するような構造を有するカメラサーチである場合にはその回動部に、それぞれ回動位置を検出するためのセンサやスイッチを設けるものとし、それらの検出信号により撮影方向と表示方向とが一致しているか否かを検出するものとしてもよい。
【００７２】
（第２の実施の形態）  
以下本発明をコンパクトタイプのデジタルカメラに適用した場合の第２の実施の形態について図面を参照して説明する。
【００７３】
なお、本実施の形態に係るデジタルカメラの外観構成に関しては上記図１に示したものと、デジタルカメラ内の電子回路の概念構成については上記図２に示したものとそれぞれ基本的には同様であるものとし、同一部分には同一符号を用いるものとして、その図示と説明とを処理する。
【００７４】
しかして、制御部３１内のＲＯＭ３１ａには、制御部３１が実行する動作プログラムの他に、図５に示すような特定画像データＳＩ２１とテーブルＴ２１とを記憶している。  
一方の特定画像データＳＩ２１は、図示する如く単純でコントラストがはっきりした幾何学模様、例えば青い背景色の中央に黄色い五芒星が描かれたものとする。  
他方のテーブルＴ２１は、上記撮影レンズ１２を構成する光学レンズ中のズームレンズの位置に対応した、表示部１９でのフル階調値表示時の駆動電圧を記憶したもので、制御部３１が上記モータ２１により撮影レンズ１２のズームレンズを移動させた場合に、その移動位置に対応した電圧値をこのテーブルＴ２１から読出して表示コントローラ３２による表示部１９の駆動電圧を制御することで、撮影レンズ１２での撮影画角と表示部１９での表示視野角とを一致させることができる。
【００７５】
また、これに合わせて、ＶＲＡＭ３３には、通常の如くスルー画像表示用の画像データを保持する領域に加え、上記特定画像データＳＩ２１を保持するための特定画像記憶部３３ａを設けるものとする。
【００７６】
次に上記実施の形態の動作について説明する。  
図６は、静止画像を撮影する撮影モードが設定されている状態での表示部１９の表示に関する処理内容を示すもので、その動作制御は主として制御部３１がＲＯＭ３１ａ内に記憶した動作プログラムに従って実行する。
【００７７】
その当初には、制御部３１内のＲＯＭ３１ａに記憶されている上記特定画像データＳＩ２１を上記ＶＲＡＭ３３内の特定画像記憶部３３ａにコピーする（ステップＢ０１）。
【００７８】
次いで、表示部１９での視野角を初期設定するべく表示部１９での駆動電圧を予め定まっている標準の電圧に設定して表示コントローラ３２で表示部１９を表示駆動させるものとする（ステップＢ０２）。
【００７９】
この状態で、スルー画像の表示のために一定周期毎にＣＣＤ２２で画像を取得してその画像データをＤＲＡＭ３０に保持させる（ステップＢ０３）。
【００８０】
このとき、上記図１で示した如く２軸ヒンジ機構２０により表示部１９が撮影レンズ１２と同一方向に向けられたセルフタイマ撮影を行なう状態であるか否かをキー入力部３４のセルフタイマキーの操作によりセルフタイマ撮影が指示されているか否かにより判断する（ステップＢ０４）。
【００８１】
ここでセルフタイマ撮影が指示されていない場合には、ＤＲＡＭ３０に保持している画像データに基づいてＶＲＡＭ３３に表示用の画像データを作成し（ステップＢ０９）、このＶＲＡＭ３３に再生した画像データを基に表示コントローラ３２により表示部１９でスルー画像の更新表示を実行させる（ステップＢ１０）。
【００８２】
いま、図７（Ａ）に示すようにこのデジタルカメラ１０にて被写体像を撮影しようとしているものとする。このデジタルカメラ１０のユーザたる撮影者が被写体側におらず、セルフタイマ撮影を行なう必要がない場合には、当然ながら表示部１９では図７（Ｂ）に示すように撮影しようとしている被写体像をそのままスルー画像として表示部１９に表示することで、撮影範囲のフレーミングを行なうことができる。
【００８３】
また、上記ステップＢ０４でセルフタイマキーが操作されていると判断した場合、さらに撮影レンズ１２のズーム位置が移動したか否かを判断する（ステップＢ０５）。
【００８４】
撮影レンズ１２のズーム位置が移動し、撮影画角が変わった場合には、ユーザがセルフタイマ撮影のためにズーム機能により被写体像のフレーミングを行なったものと判断し、ＶＲＡＭ３３値の上記テーブルＴ２１を参照してその時点の撮影レンズ１２中のズームレンズ位置に対応した表示部１９の駆動電圧を取得し（ステップＢ０６）、取得した駆動電圧がフル階調時の駆動電圧となるように表示コントローラ３２で表示部１９を表示駆動するべく設定する（ステップＢ０７）。
【００８５】
上記ステップＢ０６，Ｂ０７の処理は、上記ステップＢ０５で撮影レンズ１２中のズームレンズの位置が移動していないと判断した場合には実行しない。
【００８６】
しかして、上記ステップＢ０６，Ｂ０７の処理の実行の有無に拘わらず、ＶＲＡＭ３３の特定画像記憶部３３ａに記憶している特定画像データを基に表示コントローラ３２により図７（Ｃ）に示す如く表示部１９で特定画像を表示させる（ステップＢ０８）。
【００８７】
この際に表示コントローラ３２は、直前のステップＢ０６で駆動電圧を設定した場合にはその設定した駆動電圧に従って表示部１９を表示駆動するようになる。  
結果として、セルフタイマ撮影時にユーザが何らかのフレーミング動作、具体的にはズーム画角の変更を行なった場合には、上記図１に示した状態のデジタルカメラ１０で撮影レンズ１２での撮影画角と表示部１９での視野角とが常に一致するように制御される。
【００８８】
したがって、被写体側からデジタルカメラ１０を見た場合、表示部１９で表示されている特定画像を視認することができれば、すなわち撮影レンズ１２の撮影画角に入っていることになり、被写体側から撮影範囲の確認を行なうことができる。
【００８９】
加えて、表示部１９に表示されているのはスルー画像ではなく、上記図７（Ｃ）でも示したように単純でコントラストがはっきりした幾何学模様であるため、撮影レンズ１２の撮影範囲内に入っており、したがって表示部１９での視野角の範囲内にも入っている被写体側からすれば、多少デジタルカメラ１０が離れた位置にあっても確実に表示部１９の表示内容を視認することができるため、撮影範囲に入っているか否かの確認がし易くなる。
【００９０】
ステップＢ１０またはＢ０８の表示処理を行なった後、再びステップＢ０３に戻り、以後同様の動作を繰返し実行することで、必要に応じて表示部１９での視野角を制御する動作が続行される。
【００９１】
このように、その時点で撮影しているスルー画像に代えて、例えばコントラストを考慮した単純な幾何学模様などの特定画像を表示させることで、カメラから離れた位置からでも容易に画像の表示内容を把握することができる。
【００９２】
（第３の実施の形態）  
以下本発明をコンパクトタイプのデジタルカメラに適用した場合の第３の実施の形態について図面を参照して説明する。
【００９３】
なお、本実施の形態に係るデジタルカメラの外観構成に関しては上記図１に示したものと、デジタルカメラ内の電子回路の概念構成については上記図２に示したものとそれぞれ基本的には同様であるものとし、同一部分には同一符号を用いるものとして、その図示と説明とを処理する。
【００９４】
しかして、制御部３１内のＲＯＭ３１ａには、制御部３１が実行する動作プログラムの他に、図８に示すような複数の特定画像データＳＩ３１〜ＳＩ３５と、テーブルＴ３１，Ｔ３２とを記憶している。  
特定画像データＳＩ３１〜ＳＩ３５は、それぞれ後述する複数、例えば５つの撮影モード毎に予め設定された、それぞれに単純な模様の画像データである。
【００９５】
テーブルＴ３１は、複数、例えば５つの撮影モードの名称と特定画像データとの対応情報を記憶する。ここでは、「通常モード」「室内モード」「夜景モード」「屋外モード」及び「蛍光灯モード」と上記特定画像データＳＩ３１〜ＳＩ３５との対応情報を記憶する。
【００９６】
テーブルＴ３２は、上記撮影レンズ１２を構成する光学レンズ中のズームレンズの位置に対応した、表示部１９でのフル階調値表示時の駆動電圧を記憶したもので、制御部３１が上記モータ２１により撮影レンズ１２のズームレンズを移動させた場合に、その移動位置に対応した電圧値をこのテーブルＴ３２から読出して表示コントローラ３２による表示部１９の駆動電圧を制御することで、撮影レンズ１２での撮影画角と表示部１９での表示視野角とを一致させることができる。
【００９７】
また、これに合わせて、ＶＲＡＭ３３には、通常の如くスルー画像表示用の画像データを保持する領域に加え、上記特定画像データＳＩ３１〜ＳＩ３５のいずれかを保持するための特定画像記憶部３３ａを設けるものとする。
【００９８】
次に上記実施の形態の動作について説明する。  
図９は、静止画像を撮影する撮影モードが設定されている状態での表示部１９の表示に関する処理内容を示すもので、その動作制御は主として制御部３１がＲＯＭ３１ａ内に記憶した動作プログラムに従って実行する。
【００９９】
その当初には、表示部１９での視野角を初期設定するべく表示部１９での駆動電圧を予め定まっている標準の電圧に設定して表示コントローラ３２で表示部１９を表示駆動させるものとする（ステップＣ０１）。
【０１００】
この状態で、スルー画像の表示のために一定周期毎にＣＣＤ２２で画像を取得してその画像データをＤＲＡＭ３０に保持させる（ステップＣ０２）。
【０１０１】
このとき、上記図１で示した如く２軸ヒンジ機構２０により表示部１９が撮影レンズ１２と同一方向に向けられたセルフタイマ撮影を行なう状態であるか否かをキー入力部３４のセルフタイマキーの操作によりセルフタイマ撮影が指示されているか否かにより判断する（ステップＣ０３）。
【０１０２】
ここでセルフタイマ撮影が指示されていない場合には、ＤＲＡＭ３０に保持している画像データに基づいてＶＲＡＭ３３に表示用の画像データを作成し（ステップＣ１０）、このＶＲＡＭ３３に再生した画像データを基に表示コントローラ３２により表示部１９でスルー画像の更新表示を実行させる（ステップＣ１１）。
【０１０３】
また、上記ステップＣ０３でセルフタイマキーが操作されていると判断した場合、さらに撮影レンズ１２のズーム位置が移動したか否かを判断する（ステップＣ０４）。
【０１０４】
撮影レンズ１２のズーム位置が移動し、撮影画角が変わった場合には、ユーザがセルフタイマ撮影のためにズーム機能により被写体像のフレーミングを行なったものと判断し、ＶＲＡＭ３３値の上記テーブルＴ３２を参照してその時点の撮影レンズ１２中のズームレンズ位置に対応した表示部１９の駆動電圧を取得し（ステップＣ０５）、取得した駆動電圧がフル階調時の駆動電圧となるように表示コントローラ３２で表示部１９を表示駆動するべく設定する（ステップＣ０６）。
【０１０５】
上記ステップＣ０５，Ｃ０６の処理は、上記ステップＣ０４で撮影レンズ１２中のズームレンズの位置が移動していないと判断した場合には実行しない。
【０１０６】
しかして、上記ステップＣ０５，Ｃ０６の処理の実行の有無に拘わらず、次いでその時点で撮影モードの変更があったか否かを判断する（ステップＣ０７）。
【０１０７】
ここで変更があったと判断した場合にのみ、その変更後の撮影モードに応じて上記テーブルＴ３１を参照し、対応する特定画像の情報を得た上で、特定画像データＳＩ３１〜ＳＩ３５のうち該当するものをあらたにＶＲＡＭ３３の特定画像記憶部３３ａにコピーして更新記憶させる（ステップＣ０８）。
【０１０８】
その後、上記ステップＣ０８の処理の実行の有無に拘わらず、ＶＲＡＭ３３の特定画像記憶部３３ａに記憶している特定画像データを基に表示コントローラ３２により表示部１９でその時点での撮影モードに対応した特定画像を表示させる（ステップＣ０９）。
【０１０９】
この際に表示コントローラ３２は、直前のステップＣ０６で駆動電圧を設定した場合にはその設定した駆動電圧に従って表示部１９を表示駆動するようになる。  
結果として、セルフタイマ撮影時にユーザが何らかのフレーミング動作、具体的にはズーム画角の変更を行なった場合には、上記図１に示した状態のデジタルカメラ１０で撮影レンズ１２での撮影画角と表示部１９での視野角とが常に一致するように制御される。
【０１１０】
したがって、被写体側からデジタルカメラ１０を見た場合、表示部１９で表示されている特定画像を視認することができれば、すなわち撮影レンズ１２の撮影画角に入っていることになり、被写体側から撮影範囲の確認を行なうことができる。
【０１１１】
ステップＣ１１またはＣ０９の表示処理を行なった後、再びステップＣ０２からの処理に戻り、以後同様の動作を繰返し実行することで、必要に応じて表示部１９での視野角を制御する動作が続行される。
【０１１２】
このように、セルフタイマモード時の表示部１９には、スルー画像ではなくその時点で設定されている撮影モードに対応した特定画像が表示されるものとなる。そのため、屋外や屋内、晴天下や夜景撮影時、光源の色温度等、撮影環境に適して表示部１９での視認が容易となるような特定画像を予め用意しておくことにより、それぞれの環境下で多少デジタルカメラ１０が離れた位置にあっても確実に表示部１９の表示内容を視認することができるため、常に撮影範囲に入っているか否かの確認がし易くなる。
【０１１３】
なお、上記実施の形態では、図８のテーブルＴ３２で示した如く、表示部１９のズームレンズの位置に応じて表示部１９でのフル階調時の印加電圧を一律に設定するものとして説明したが、本実施の形態はこれに限らず、表示部１９のズームレンズの位置とその時点で設定されている撮影モードの双方に応じて表示部１９での印加電圧を設定するものとしてもよい。
【０１１４】
図１０は、上記図８のテーブルＴ３２に代わって制御部３１のＲＯＭ３１ａに記憶されるテーブルＴ３２′の内容を例示するものである。図示する如くテーブルＴ３２′は、表示部１９のズームレンズの位置（０，１，２，‥‥，Ｎ）とその時点で設定されている撮影モード（モード０，モード１，‥‥）の２つの要素に対応した、表示部１９でのフル階調時の印加電圧を記憶しており、これら２つの要素に対応した印加電圧を制御部３１が読出して表示コントローラ３２により表示部１９を駆動制御させる。
【０１１５】
このように、表示部１９のズームレンズの移動に基づく画角の変動のみならず、撮影モードとの組合せにより表示部１９での視野角を可変設定することで、撮影モード毎に実際の撮影により適した被写体像の位置を考慮してセルフタイマ撮影を実施することができる。
【０１１６】
（第４の実施の形態）  
以下本発明をコンパクトタイプのデジタルカメラに適用した場合の第４の実施の形態について図面を参照して説明する。
【０１１７】
なお、本実施の形態に係るデジタルカメラの外観構成に関しては上記図１に示したものと、デジタルカメラ内の電子回路の概念構成については上記図２に示したものとそれぞれ基本的には同様であるものとし、同一部分には同一符号を用いるものとして、その図示と説明とを処理する。
【０１１８】
しかして、制御部３１内のＲＯＭ３１ａには、制御部３１が実行する動作プログラムの他に、図１１に示すような複数の特定画像データＳＩ４１〜ＳＩ４５と、テーブルＴ４１，Ｔ４２とを記憶している。  
特定画像データＳＩ４１〜ＳＩ４５は、それぞれ後述する複数、例えば５つの光量レベル毎に予め設定された、それぞれに単純な模様の画像データである。
【０１１９】
テーブルＴ４１は、複数、例えば５つの光量レベル上記特定画像データＳＩ４１〜ＳＩ４５との対応情報を記憶する。
【０１２０】
テーブルＴ４２は、上記撮影レンズ１２を構成する光学レンズ中のズームレンズの位置に対応した、表示部１９でのフル階調値表示時の駆動電圧を記憶したもので、制御部３１が上記モータ２１により撮影レンズ１２のズームレンズを移動させた場合に、その移動位置に対応した電圧値をこのテーブルＴ４２から読出して表示コントローラ３２による表示部１９の駆動電圧を制御することで、撮影レンズ１２での撮影画角と表示部１９での表示視野角とを一致させることができる。
【０１２１】
また、これに合わせて、ＶＲＡＭ３３には、通常の如くスルー画像表示用の画像データを保持する領域に加え、上記特定画像データＳＩ４１〜ＳＩ４５のいずれかを保持するための特定画像記憶部３３ａを設けるものとする。
【０１２２】
次に上記実施の形態の動作について説明する。  
図１２は、静止画像を撮影する撮影モードが設定されている状態での表示部１９の表示に関する処理内容を示すもので、その動作制御は主として制御部３１がＲＯＭ３１ａ内に記憶した動作プログラムに従って実行する。
【０１２３】
その当初には、表示部１９での視野角を初期設定するべく表示部１９での駆動電圧を予め定まっている標準の電圧に設定して表示コントローラ３２で表示部１９を表示駆動させるものとする（ステップＤ０１）。
【０１２４】
この状態で、スルー画像の表示のために一定周期毎にＣＣＤ２２で画像を取得してその画像データをＤＲＡＭ３０に保持させる（ステップＤ０２）。
【０１２５】
このとき、上記図１で示した如く２軸ヒンジ機構２０により表示部１９が撮影レンズ１２と同一方向に向けられたセルフタイマ撮影を行なう状態であるか否かをキー入力部３４のセルフタイマキーの操作によりセルフタイマ撮影が指示されているか否かにより判断する（ステップＤ０３）。
【０１２６】
ここでセルフタイマ撮影が指示されていない場合には、ＤＲＡＭ３０に保持している画像データに基づいてＶＲＡＭ３３に表示用の画像データを作成し（ステップＤ１０）、このＶＲＡＭ３３に再生した画像データを基に表示コントローラ３２により表示部１９でスルー画像の更新表示を実行させる（ステップＤ１１）。
【０１２７】
また、上記ステップＤ０３でセルフタイマキーが操作されていると判断した場合、さらに撮影レンズ１２のズーム位置が移動したか否かを判断する（ステップＤ０４）。
【０１２８】
撮影レンズ１２のズーム位置が移動し、撮影画角が変わった場合には、ユーザがセルフタイマ撮影のためにズーム機能により被写体像のフレーミングを行なったものと判断し、ＶＲＡＭ３３値の上記テーブルＴ３２を参照してその時点の撮影レンズ１２中のズームレンズ位置に対応した表示部１９の駆動電圧を取得し（ステップＤ０５）、取得した駆動電圧がフル階調時の駆動電圧となるように表示コントローラ３２で表示部１９を表示駆動するべく設定する（ステップＤ０６）。
【０１２９】
上記ステップＤ０５，Ｄ０６の処理は、上記ステップＤ０４で撮影レンズ１２中のズームレンズの位置が移動していないと判断した場合には実行しない。
【０１３０】
しかして、上記ステップＤ０５，Ｄ０６の処理の実行の有無に拘わらず、次いでその時点で被写体像側の光量の変化があったか否かを、光量検知部１４での検知出力を受光量処理部３９が処理することで判断する（ステップＤ０７）。
【０１３１】
ここで変化があったと判断した場合にのみ、その変化後の光量レベルに応じて上記テーブルＴ４１を参照し、対応する特定画像の情報を得た上で、特定画像データＳＩ４１〜ＳＩ４５のうち該当するものをあらたにＶＲＡＭ３３の特定画像記憶部３３ａにコピーして更新記憶させる（ステップＤ０８）。
【０１３２】
その後、上記ステップＤ０８の処理の実行の有無に拘わらず、ＶＲＡＭ３３の特定画像記憶部３３ａに記憶している特定画像データを基に表示コントローラ３２により表示部１９でその時点での撮影モードに対応した特定画像を表示させる（ステップＤ０９）。
【０１３３】
この際に表示コントローラ３２は、直前のステップＤ０６で駆動電圧を設定した場合にはその設定した駆動電圧に従って表示部１９を表示駆動するようになる。  
結果として、セルフタイマ撮影時にユーザが何らかのフレーミング動作、具体的にはズーム画角の変更を行なった場合には、上記図１に示した状態のデジタルカメラ１０で撮影レンズ１２での撮影画角と表示部１９での視野角とが常に一致するように制御される。
【０１３４】
したがって、被写体側からデジタルカメラ１０を見た場合、表示部１９で表示されている特定画像を視認することができれば、すなわち撮影レンズ１２の撮影画角に入っていることになり、被写体側から撮影範囲の確認を行なうことができる。
【０１３５】
ステップＤ１１またはＤ０９の表示処理を行なった後、再びステップＤ０２からの処理に戻り、以後同様の動作を繰返し実行することで、必要に応じて表示部１９での視野角を制御する動作が続行される。
【０１３６】
このように、セルフタイマモード時の表示部１９には、スルー画像ではなくその時点で設定されている光量レベルに対応した特定画像が表示されるものとなる。そのため、屋外の晴天下や曇天下、室内、あるいは夜間の撮影など、周囲環境の明るさに応じて常に表示部１９での視認が容易となるような特定画像を予め用意しておくことにより、それぞれの環境下でデジタルカメラ１０が多少離れた位置にあっても確実に表示部１９の表示内容を視認することができるため、常に撮影範囲に入っているか否かの確認がし易くなる。
【０１３７】
なお、上記実施の形態では、図１１のテーブルＴ４２で示した如く、表示部１９のズームレンズの位置に応じて表示部１９でのフル階調時の印加電圧を一律に設定するものとして説明したが、本実施の形態はこれに限らず、表示部１９のズームレンズの位置とその時点の被写体像方向の光量レベルの双方に応じて表示部１９での印加電圧を設定するものとしてもよい。
【０１３８】
図１３は、上記図１１のテーブルＴ４２に代わって制御部３１のＲＯＭ３１ａに記憶されるテーブルＴ４２′の内容を例示するものである。図示する如くテーブルＴ４２′は、表示部１９のズームレンズの位置（０，１，２，‥‥）とその時点の光量レベル（０，１，２，‥‥）の２つの要素に対応した、表示部１９でのフル階調時の印加電圧を記憶しており、これら２つの要素に対応した印加電圧を制御部３１が読出して表示コントローラ３２により表示部１９を駆動制御させる。
【０１３９】
このように、表示部１９のズームレンズの移動に基づく画角の変動のみならず、光量レベルとの組合せにより表示部１９での視野角を可変設定することで、被写体像方向の明るさ毎に実際の撮影により適した見易い被写体像の位置を考慮してセルフタイマ撮影を実施することができる。
【０１４０】
なお、上記第１乃至第４の実施の形態は、いずれもコンパクトタイプのデジタルカメラに適用した場合について例示したものであるが、本発明はこれに限らず、一眼レフタイプのデジタルカメラ、静止画像の撮影も可能なビデオムービーカメラ等、モニタ表示部が可動式で被写体の位置する撮影方向にも向けることのできる撮像装置であれば、同様に適用できることは勿論であるが、カメラ付きの携帯電話機などのように、カメラ部と、メインまたはサブの表示部とが同一平面に向けて設けられている装置にも同じく適用することができる。
【０１４１】
また、上記第４の実施の形態では、光量センサを用いて被写体像方向の光量レベルを検知するものとしたが、その他、撮影条件に関わる他のセンサ、例えば被写体となる人物等の位置を検知する赤外線センサ等を用い、あるいはそれらの検知結果を組み合わせて使用することも考えられる。
【０１４２】
その他、本発明は上記実施の形態に限らず、その要旨を逸脱しない範囲内で種々変形して実施することが可能であるものとする。
【０１４３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１４４】
【図１】本発明の第１の実施の形態に係るデジタルカメラの外観構成を示す斜視図。
【図２】同実施の形態に係るデジタルカメラの機能回路構成を示すブロック図。
【図３】同実施の形態に係る図２のＲＯＭ内に記憶されるテーブルの内容を例示する図。
【図４】同実施の形態に係る撮影モード時の表示部に対する処理内容を示すフローチャート。
【図５】本発明の第２の実施の形態に係るＲＯＭ内に記憶される特定画像とテーブルの内容を例示する図。
【図６】同実施の形態に係る撮影モード時の表示部に対する処理内容を示すフローチャート。
【図７】同実施の形態に係るデジタルカメラと被写体との位置関係と表示部での表示内容とを例示する図。
【図８】本発明の第３の実施の形態に係るＲＯＭ内に記憶される特定画像とテーブルの内容を例示する図。
【図９】同実施の形態に係る撮影モード時の表示部に対する処理内容を示すフローチャート。
【図１０】同実施の形態に係るテーブルＴ３２の他の内容を例示する図。
【図１１】本発明の第４の実施の形態に係るＲＯＭ内に記憶される特定画像とテーブルの内容を例示する図。
【図１２】同実施の形態に係る撮影モード時の表示部に対する処理内容を示すフローチャート。
【図１３】同実施の形態に係るテーブルＴ４２の他の内容を例示する図。
【符号の説明】
【０１４５】
１０…デジタルカメラ、１１…本体ボディ、１２…撮影レンズ、１３…フラッシュ発光部、１４…光量検知部、１５…マイクロホン、１６…グリップ部、１７…電源キー、１８…シャッタキー、１９…表示部、２０…２軸ヒンジ機構、２１…モータ（Ｍ）、２２…ＣＣＤ、２３…タイミング発生器（ＴＧ）、２４…ＣＣＤドライバ、２５…ＡＧＣ／ＳＨ回路、２６…Ａ／Ｄ変換器、２７…カラープロセス回路、２８…ＤＭＡコントローラ、２９…ＤＲＡＭインタフェース（Ｉ／Ｆ）、３０…ＤＲＡＭ、３１…制御部、３１ａ…ＲＯＭ、３２…表示コントローラ、３３…ＶＲＡＭ、３３ａ…特定画像記憶部、３４…キー入力部、３５…ＪＰＥＧ回路、３６…メモリカード、３７…音声処理部、３８…フラッシュ駆動部、３９…受光量処理部、４０…スピーカ部、ＳＩ２１，ＳＩ３１〜ＳＩ３５，ＳＩ４１〜ＳＩ４５…特定画像データ、Ｔ１１，Ｔ２１，Ｔ３１，Ｔ３２，Ｔ３２′，Ｔ４１，Ｔ４２，Ｔ４２′…テーブル。
【図１】
2008016886.tif 000003
【図２】
2008016886.tif 000004
【図３】
2008016886.tif 000005
【図４】
2008016886.tif 000006
【図５】
2008016886.tif 000007
【図６】
2008016886.tif 000008
【図７】
2008016886.tif 000009
【図８】
2008016886.tif 000010
【図９】
2008016886.tif 000011
【図１０】
2008016886.tif 000012
【図１１】
2008016886.tif 000013
【図１２】
2008016886.tif 000014
【図１３】
2008016886.tif 000015